(57)【要約】【課題】  直ぐには飽きることはなく、興味を持続することができ、又、身体能力の向上を図ることができると共に、体力や身体能力に対応できる雲梯遊具を提供する。【解決手段】  立設された複数の支柱２，２，・・・の上端に上枠体４を載置した雲梯遊具１を構成する。上枠体４は、上枠杆５の内側に、並行して配設した側枠杆９ａ，９ｂ，１１ａ，１１ｂ，１３ａ，１３ｂに所定間隔で把持棒１０，１２，１４を配置して成る経路構成体６，７，８を複数配設してある。経路構成体６，７，８は、各々相違する形態の把持棒１０，１２，１４を配置してあり、円弧状に湾曲させた側枠杆９ａ，９ｂ，１１ａ，１１ｂ，１３ａ，１３ｂを配設してある。さらに、経路構成体６，７，８は、互いに交差するように配設してある。【選択図】          図１
2009089805.tif 000002
【特許請求の範囲】
【請求項１】
立設された複数の支柱の上端に上枠体を載置した雲梯遊具であって、前記上枠体は、上枠杆の内側に、並行して配設した側枠杆に所定間隔で把持棒を配置して成る経路構成体を複数配設したことを特徴とする雲梯遊具。
【請求項２】
前記経路構成体は、各々相違する形態の把持棒を配置してあることを特徴とする請求項１に記載の雲梯遊具。
【請求項３】
前記経路構成体は、円弧状に湾曲させた側枠杆を配設してあることを特徴とする請求項１又は２に記載の雲梯遊具。
【請求項４】
前記経路構成体は、互いに交差するように配設してあることを特徴とする請求項１乃至３何れかに記載の雲梯遊具。
【請求項５】
前記支柱の下端部に踏段を配設したことを特徴とする請求項１乃至４何れかに記載の雲梯遊具。
【発明の詳細な説明】
【技術分野】
【０００１】
本発明は、児童公園、保育施設等の庭園、広場に設置され、幼児、児童等が懸垂して遊戯することができる雲梯遊具に関する。
【背景技術】
【０００２】
近年、子供達を取り巻く環境の変化によって、子供達の体格は向上しているにも拘わらず、身体能力は低下する傾向にあり、子供達の健康な身体の育成は、これまで以上に重要視されるようになってきた。
このため、子供達の遊び場である児童公園、保育施設等の庭園、広場には、遊びを通じて身体能力の向上を図る機能を充実させることが要望され、これに応えるものとして、各種遊具が設置されている。
【０００３】
このような遊具の中で、雲梯遊具は、把持棒を両手で把持して懸垂し、把持する把持棒を変えていき、全身を使いながらリズミカルに移動していくもので、身体能力の向上に貢献できる遊具である。
従来、一般的に設置されている雲梯遊具は、適宜距離を置いて立設した左右の側枠体の上端部に、把持棒を所定間隔で配置した上枠体を架設したものであって、子供達は順次、上枠体の一端部から他端部へと懸垂しながら移動して、遊ぶようになっている。
【０００４】
しかし、一般的な雲梯遊具は、極めて単純な構造であって、遊び方のバリエーションも少ないため、子供達は直ぐに飽きてしまうことが多かった。又、単に懸垂しながら移動していくだけなので、身体能力の向上という点でも魅力に乏しいものであった。
【０００５】
そこで、最近では、構造を複雑なものにしたり、構造を変化できるようにして、遊び方にバリエーションを持たせ、子供達が直ぐに飽きることがなく、興味を持続できるようにした雲梯遊具が種々提案されている（例えば、特許文献１、２及び３参照）。
【０００６】
又、身体能力の向上という観点から、把持棒の形態を変えて、円弧状に湾曲させたり、側枠に沿って設置したり、吊り革状に形成したりして、懸垂しながら移動する際の難易度を高めた雲梯遊具も種々提案されている（例えば、特許文献４参照）。
【０００７】
【特許文献１】登録実用新案第３０４２３９１号公報
【特許文献２】意匠登録第１１９８１０１号公報
【特許文献３】意匠登録第１１９８１０２号公報
【特許文献４】意匠登録第１１９８４８６号公報
【発明の開示】
【発明が解決しようとする課題】
【０００８】
構造を複雑なものにしたり、構造を変化できるようにした雲梯遊具は、移動経路の形状が単純ではなく、遊び方のバリエーションもあるため、子供達が直ぐに飽きることはないが、やはり、子供達が順次、移動経路の一端部から他端部へと懸垂又は伏臥しながら移動するだけであるので、比較的早く興味を失い易い。
【０００９】
又、把持棒の形態を変えて、円弧状に湾曲させたり、側枠に沿って設置したり、吊り革状に形成した雲梯遊具は、懸垂しながら移動する際の難易度が高まるため、より身体能力の向上を図ることができるが、雲梯の得意、苦手、又、体力や身体能力に必ずしも対応したものではなく、複数の子供が一緒に遊ぶことは難しい。
【００１０】
本発明は、かかる従来の問題点に鑑みて為されたものであって、その目的とするところ
は、移動経路の形状が単純ではなく、遊び方のバリエーションもあって、子供達が直ぐには飽きることはなく、興味を持続することができ、又、把持棒の形態を複数有して、懸垂移動する際の難易度を高め、身体能力の向上を図ることができると共に、雲梯の得意、苦手、又、体力や身体能力に対応できる雲梯遊具を提供することにある。
【課題を解決するための手段】
【００１１】
上記目的を達成するために、本発明の雲梯遊具は、立設された複数の支柱の上端に上枠体を載置した雲梯遊具であって、前記上枠体は、上枠杆の内側に、並行して配設した側枠杆に所定間隔で把持棒を配置して成る経路構成体を複数配設したことを特徴とする。
【００１２】
かかる構成によれば、経路の形状が単純ではなく、遊び方のバリエーションもあって、子供達が直ぐには飽きることはなく、興味を持続することができる。
【００１３】
身体能力の向上を図ることができると共に、得意、苦手、又、体力や身体能力に対応できるよう、前記経路構成体は、各々相違する形態の把持棒を配置してあるのが好ましい。
【００１４】
前記経路構成体は、円弧状に湾曲させた側枠杆を配設してあるのが好ましい。
【００１５】
前記経路構成体は、互いに交差するように配設してあるのが好ましい。
【００１６】
前記支柱の下端部には踏段を配設してあるのが好ましい。
【発明を実施するための最良の形態】
【００１７】
以下、本発明の雲梯遊具の好適な実施形態について、図面を参照しつつ具体的に説明する。
ここで、図１は、本発明の雲梯遊具の一実施例の斜視図、図２は、図１に示す雲梯遊具の平面図、図３は、図１に示す雲梯遊具の使用状態図である。
【００１８】
本発明の一実施例の雲梯遊具１は、図１に示すように、６本の支柱２，２，・・・、踏段３及び上枠体４から構成されている。
【００１９】
支柱２は、図１に示すように、円管部材であって、上端部を内側に屈曲してある。
隣接する支柱２，２の下端部間に踏段３を架設すると共に、支柱２，２，・・・の上端に上枠体４を載置してある。
【００２０】
踏段３は、図１に示すように、円弧状に湾曲させた円管部材である上下二段の踏段部材３ａ，３ｂから成る。
【００２１】
上枠体４は、図１に示すように、楕円環状を呈する円管部材である上枠杆５の内側に、３つの異なる経路を構成する経路構成体６，７，８を配設してある。
尚、各経路構成体６，７，８の前後端部は、各支柱２，２，・・・の上端に対応させて位置させてある
【００２２】
経路構成体６は、図２に示すように、円弧状に湾曲させた円管部材であって、並行して配設した側枠杆９ａ，９ｂの間に、直線状の把持棒１０を経路方向、すなわち、側枠杆９ａ，９ｂの長さ方向に、所定間隔で配置してある。
【００２３】
経路構成体７は、図２に示すように、円弧状に湾曲させた円管部材であって、並行して配設した側枠杆１１ａ，１１ｂの間に、曲線状の把持棒１２を経路方向、すなわち、側枠杆１１ａ，１１ｂの長さ方向に、所定間隔で配置してある。
【００２４】
経路構成体８は、図２に示すように、円弧状に湾曲させた円管部材であって、並行して配設した側枠杆１３ａ，１３ｂの下側に、コ字状の把持棒１４を経路方向、すなわち、側枠杆１３ａ，１３ｂの長さ方向に、所定間隔で配置してある。
【００２５】
経路構成体６，７，８は、図２に示すように、互いに交差するように形成してあり、経路構成体６と７が交差した個所では、側枠杆１１ａ，１１ｂが、経路構成体６と８が交差した個所では、側枠杆１３ａ，１３ｂが、把持棒１０に代替するものとなっている。
【００２６】
又、経路構成体８と６が交差した個所では、側枠杆１１ａ，１１ｂを下側にコ字状に湾曲させて、経路構成体８と７が交差した個所では、把持棒１２，１２が、コ字状の把持棒１４に代替するものとなっている。
【００２７】
本発明の一実施例の雲梯遊具１は、以上のような構成であって、以下のように使用することによって、所期の作用、効果を奏する。
【００２８】
雲梯遊具１で遊ぼうとする子供３１は、図３に示すように、先ず、適宜支柱２の中間部を両手で把持し、一方の足を踏段部材３ｂに載せ、他方の足も踏段部材３ｂに載せる。次に、一方の足を踏段部材３ａに載せ、他方の足も踏段部材３ａに載せて、支柱２を両手で把持しつつ、両足を踏段部材３ａに載せて、立ち上がる。
【００２９】
ここで、子供３１が経路構成体６の前端部に対応した支柱２を把持して、踏段部材３ａ上に立っている場合には、上枠杆５の直近部分を一方の手で把持し、次に、他方の手を前方に伸ばして、直近に配置された把持棒１０を他方の手で把持する。これにより、両足は踏段部材３ａから離れて、懸垂状態となる。
【００３０】
以下、両方の手を交互に前方に伸ばし、懸垂状態で身体を揺動させながら、順次、配置されている把持棒１０を一方の手で把持して、経路構成体６によって構成される経路Ａを移動していく。
【００３１】
経路構成体６の後端部に到達したら、上枠杆５の直近部分を一方の手で把持し、一方の足を踏段部材３ａに載せ、支柱２を他方の手で把持して、他方の足も踏段部材３ａに載せて、支柱２を両手で把持しつつ、両足を踏段部材３ａに載せて、立ち上がる。
【００３２】
子供３１が経路構成体７の前端部に対応した支柱２を把持して、踏段部材３ａ上に立っている場合には、上枠杆５の直近部分を一方の手で把持し、次に、他方の手を前方に伸ばして、直近に配置された把持棒１２を他方の手で把持する。これにより、両足は踏段部材３ａから離れて、懸垂状態となる。
【００３３】
以下、両方の手を交互に前方に伸ばし、懸垂状態で身体を揺動させながら、順次、配置されている把持棒１２を一方の手で把持して、経路構成体７によって構成される経路Ｂを移動していく。
【００３４】
子供３１が経路構成体８の前端部に対応した支柱２を把持して、踏段部材３ａ上に立っている場合には、上枠杆５の直近部分を一方の手で把持し、次に、他方の手を前方に伸ばして、直近に配置された把持棒１４を他方の手で把持する。これにより、両足は踏段部材３ａから離れて、懸垂状態となる。
【００３５】
以下、両方の手を交互に前方に伸ばし、懸垂状態で身体を揺動させながら、順次、配置されている把持棒１４を一方の手で把持して、経路構成体８によって構成される経路Ｃを移動していく。
【００３６】
以上のように、本発明の雲梯遊具１は、上枠杆５の内側に、経路構成体６，７，８によって３つの経路Ａ，Ｂ，Ｃを構成してあるから、子供達は各自、自由に経路Ａ，Ｂ，Ｃを選択して、複数人が同時に遊ぶことができる。
【００３７】
又、経路構成体６では、直線状の把持棒１０を配置し、経路構成体７では、曲線状の把持棒１２を配置し、経路構成体８では、コ字状の把持棒１４を配置してあるから、子供達は、自己の体力や身体能力を考慮して、適宜経路Ａ，Ｂ，Ｃを選択することができる。
そして、経路Ａ，Ｂ，Ｃに難易度の差を設け、徐々にレベルアップが図れるようにしてあるから、子供達の挑戦意欲、上達意欲を掻き立てることができる。
【００３８】
又、経路構成体６，７，８が交差した個所では、子供達は鉢合せすることになって、一方が停止している間に他方が移動していくことになるから、子供達は協調性をも学ぶことができる。
【００３９】
本発明の雲梯遊具１では、何れかの経路Ａ，Ｂ，Ｃを選択して、その前端部から後端部まで移動するだけでなく、経路構成体６，７，８が交差した個所で、例えば、経路Ａから経路Ｂへと乗り換えることもできる。
【００４０】
よって、子供達は、経路構成体６，７，８が交差した個所で、自分で選択した経路Ａ，Ｂ，Ｃに乗り換えることにより、出発点と到着点を任意に決定することができ、遊びのバリエーションが増えるから、雲梯遊具１に対する興味を持続し易くなる。
【００４１】
本発明の雲梯遊具１によれば、３つの経路を使用しての友達同士での競争、３つの経路全てを移動するタイムトライアル、グループに分かれての陣取りゲーム等、複数の経路を活用し、複数の人数がいるからこそできる遊び方及びそのルールを、子供達自ら創造することができる。
【００４２】
これにより、互いに誘い合う等して人数を集め、様々な遊び方を試したりするので、仲間同士でより楽しく遊ぶことができ、雲梯遊具１に対する興味は更に持続し易くなり、遊ぶ頻度も増える。
そして、仲間と楽しく遊びながら、身体を育成することができる。
【００４３】
本発明の雲梯遊具１では、踏段３を上下二段の踏段部材３ａ，３ｂから構成し、踏段部材３ｂの高さを比較的高く設定してあるから、背丈が低く、筋力が弱い幼児が踏段部材３ｂに誤って登り、落下することはなく、安全性も高いものである。
【００４４】
本発明の雲梯遊具１は、楕円環状を呈する上枠杆５の内側に、３つの異なる経路を構成する経路構成体６，７，８を配設すると共に、その周囲に６本の支柱２，２，・・・を配置してある。
【００４５】
よって、遊ぶ順番を待っている間も、子供達の目線は自然と雲梯遊具１の中央部に向かうから、他の子供が経路を移動する姿を確認でき、応援したり、遊び方を教えたりすることができ、一緒に遊んでいるという一体感を感じることができる。
【００４６】
又、本発明の雲梯遊具１は、楕円環状を呈する上枠杆５の内側に、３つの異なる経路Ａ，Ｂ，Ｃを円弧状に形成したから、デザイン的にも面白く、子供達も見た目に興味を持ち易い。
【００４７】
さらに、３つの異なる経路Ａ，Ｂ，Ｃを円弧状に形成したことによって、上枠杆５の内側に、直線状に形成した場合に比較して、より長い距離の経路Ａ，Ｂ，Ｃを確保することができる。
【００４８】
本発明の雲梯遊具として、図４及び５に示すような、他実施例の雲梯遊具５１を構成することもできる。
ここで、図４は、本発明の雲梯遊具の他実施例の斜視図、図５は、図４に示す雲梯遊具の平面図である。
【００４９】
他実施例の雲梯遊具５１も、図４に示すように、６本の支柱５２，５２，・・・、踏段５３及び上枠体５４から構成されている。
【００５０】
支柱５２は、図４に示すように、雲梯遊具１における支柱２と同様な構成であり、支柱５２，５２，・・・の上端に上枠体５４を載置してある。
但し、踏段５３は、各支柱５２の下端部に設置してある。
【００５１】
踏段５３は、図４に示すように、円管部材を楕円形状に成形したものであって、両側に円弧状部を形成すると共に、上下に直線状部５３ａ，５３ｂを形成してある。
【００５２】
上枠体５４は、図４に示すように、円管部材を円環状に成形した上枠杆５５の内側に、３つの異なる経路を構成する経路構成体５６，５７，５８を配設してある。
尚、各経路構成体５６，５７，５８の前後端部は、同様に、各支柱５２，５２，・・・の上端に対応させて位置させてある
【００５３】
経路構成体５６は、図５に示すように、円弧状に湾曲させた円管部材であって、並行して配設した側枠杆５９ａ，５９ｂの間に、直線状の把持棒６０を経路方向、すなわち、側枠杆５９ａ，５９ｂの長さ方向に、所定間隔で配置してある。
【００５４】
経路構成体５７は、図５に示すように、円弧状に湾曲させた円管部材であって、並行して配設した側枠杆６１ａ，６１ｂの間に、曲線状の把持棒６２を経路方向、すなわち、側枠杆６１ａ，６１ｂの長さ方向に、所定間隔で配置してある。
【００５５】
経路構成体５８は、図５に示すように、円弧状に湾曲させた円管部材であって、並行して配設した側枠杆６３ａ，６３ｂの下側に、コ字状の把持棒６４を経路方向、すなわち、側枠杆６３ａ，６３ｂの長さ方向に、所定間隔で配置してある。
【００５６】
経路構成体５６，５７，５８も、図５に示すように、互いに交差するように形成してあり、交差した個所における形態は、雲梯部材１の場合と略同様である。
【００５７】
本発明の他実施例の雲梯遊具５１は、以上のような構成であって、雲梯遊具１と同様に使用することによって、所期の作用、効果を奏する。
【００５８】
本発明の雲梯遊具は、上記実施例のような形態に限定されるものではなく、本発明の趣旨を満足する範囲内において、種々形態のものを採用することができる。
例えば、上枠体の形状は、楕円形状、円形状に限らず、正方形状、六角形状等の多角形状としてもよい。
又、上枠杆の内側に形成する経路は、必ずしも３つでなくてもよく、少なくとも複数であれば、２つでもよく、４つでもよい。
【図面の簡単な説明】
【００５９】
【図１】本発明の雲梯遊具の一実施例の斜視図である。
【図２】図１に示す雲梯遊具の平面図である。
【図３】図１に示す雲梯遊具の使用状態図である。
【図４】本発明の雲梯遊具の他実施例の斜視図である。
【図５】図４に示す雲梯遊具の平面図である。
【符号の説明】
【００６０】
１  雲梯遊具
２  支柱
３  踏段
４  上枠体
５  上枠杆
６  経路構成体
７  経路構成体
８  経路構成体
９ａ，９ｂ  側枠杆
１０  把持棒
１１ａ，１１ｂ  側枠杆
１２  把持棒
１３ａ，１３ｂ  側枠杆
１４  把持棒
５１  雲梯遊具
【図１】
2009089805.tif 000003
【図２】
2009089805.tif 000004
【図３】
2009089805.tif 000005
【図４】
2009089805.tif 000006
【図５】
2009089805.tif 000007